(57)【特許請求の範囲】
【請求項１】
所定位置に原料注入孔の形成された発泡成形用インサートを成形型にセットし、前記原料注入孔の外周表面に先端面を当接させた原料注入ノズルから、前記原料注入孔を介して発泡成形用インサートの片側に液状発泡原料を注入し発泡させることにより、生じる発泡体を前記発泡成形用インサートと一体化する発泡成形品の製造方法において、
前記発泡成形用インサートには、前記原料注入孔の外周表面に、該原料注入孔を包囲する環状凹溝からなる原料注入ノズル嵌合溝部を形成し、一方、前記原料注入ノズルの先端には、該ノズルの原料吐出孔を包囲する環状突部を形成し、該環状突部を前記原料注入ノズル嵌合溝部に嵌合させて、前記液状発泡原料の注入を行うことを特徴とする発泡成形品の製造方法。
【発明の詳細な説明】
【０００１】
【産業上の利用分野】
この発明はクローズド成形に好適な発泡成形品の製造方法に関する。
【０００２】
【従来の技術】
従来より、自動車のインストルメントパネルなどは、インサートの片側にポリウレタン樹脂などの発泡体を一体に形成した発泡成形品によって構成されることがある。この発泡成形品は、所望により前記発泡体の表面が軟質合成樹脂シートよりなる表皮で覆われている場合もある。
【０００３】
この発泡成形品の製造例を図５に示す。図示されるように、上下に分割可能な分割成形型６０は、その両分割型６１，６２を型閉めすることにより所定の成形品キャビティ６３を構成するようになっている。そして、一方の分割型６１の型面にインサート６４を取り付けるとともに、他方の分割型６２の型面には表皮６５を配置して型閉めする。
【０００４】
インサート６４が取り付けられる側の分割型６１には、発泡装置の原料注入ノズル６６をセットする注入部６７が設けられ、またインサート６４には前記注入部６７に対応する原料注入孔６８が設けられている。この原料注入孔６８は前記原料注入ノズル６６の直径よりやや小さく形成されており、成形の際、前記原料注入ノズル６６の先端面が、インサートの原料注入孔６８の周りに当接される。そして、前記原料注入ノズル６６から液状発泡原料５０を前記インサート６４と表皮６５との間に注入する。注入された液状発泡原料５０は、発泡硬化してインサート６４の片側に発泡体を形成するとともに、前記表皮６５とインサート６４とを一体化する。
【０００５】
しかしながら、このような成形法にあっては、次のような問題点があった。すなわち、前記インサート６４は、分割型６１の型面に立設されたクリップなどにより、前記分割型６１に取り付けられるため、インサートの成形後の製品収縮などによって、型面に密着せず僅かに隙間を生じる場合がある。
そのため、前記原料注入ノズル６６から液状発泡原料５０が吐出される際に、インサートの原料注入孔６８周囲の空気を巻き込んで発泡体にボイドやセル荒れを生じたり、前記原料注入孔６８周囲の隙間からキャビティ内の発泡ガスが抜け過ぎて発泡体表面にヒケが発生することもある。また、前記型面とインサート６４との間から液状発泡原料が漏れてインサート６４および型面に不要なバリとなって付着するおそれもある。
【０００６】
前記バリなどを防ぐため、図６に示されるように、前記インサート６４の原料注入孔６８の周りにシール材７０を貼着し、前記シール材７０により型面との間の隙間を塞いで成形することも考えられるが、かかる発泡体の製造作業が効率的でなくなるという問題がある。
【０００７】
【発明が解決しようとする課題】
この発明は、このような問題点に鑑み提案されたものであって、バリやボイドなどの発生を簡単に防ぎ、発泡成形品を精度よくかつ外観良好に製造することのできる発泡成形品の製造方法を提供しようとするものである。
【０００８】
【課題を解決するための手段】
ここで提案される発明は、所定位置に原料注入孔の形成された発泡成形用インサートを成形型にセットし、前記原料注入孔の外周表面に先端面を当接させた原料注入ノズルから、前記原料注入孔を介して発泡成形用インサートの片側に液状発泡原料を注入し発泡させることにより、生じる発泡体を前記発泡成形用インサートと一体化する発泡成形品の製造方法において、前記発泡成形用インサートには、前記原料注入孔の外周表面に、該原料注入孔を包囲する環状凹溝からなる原料注入ノズル嵌合溝部を形成し、一方、前記原料注入ノズルの先端には、該ノズルの原料吐出孔を包囲する環状突部を形成し、該環状突部を前記原料注入ノズル嵌合溝部に嵌合させて、前記液状発泡原料の注入を行うことを特徴とする発泡成形品の製造方法に係る。
【０００９】
【実施例】
以下添付の図面に従ってこの発明を詳細に説明する。
図１はこの発明に用いられる発泡成形用インサートの一例を示す要部の斜視図、図２はその断面図、図３はこの発明の発泡成形品の製造方法を示す成形型の断面図、図４はその要部の断面図である。
【００１０】
図１および図２に示されるように、この発明に用いられる発泡成形用インサート１０は、塩化ビニール樹脂などの合成樹脂などからなり、その所定位置に原料注入孔１１が形成されている。前記原料注入孔１１の大きさは、成形時に型内に挿入されて液状発泡原料を注入する原料注入ノズルの直径よりやや小さく形成されている。それによって、原料注入ノズルを型内に型内に挿入した際にその先端面が、前記原料注入孔１１の外周表面に当接する。
この原料注入孔１１の外周表面（発泡体が形成されない方の側）には、当該原料注入孔１１を包囲する環状凹溝からなる原料注入ノズル嵌合溝部１２が形成されている。この原料注入ノズル嵌合溝部１２は、成形時に、前記原料注入ノズルとインサートとの間から液状発泡原料が漏れてバリになったり、発泡ガスが抜けてボイドやヒケなどになるのを防ぐためのもので、図２に示されるように、原料注入ノズル４０の先端と嵌合される。本実施例では、前記原料注入孔１１の周囲に二つの環状リブ１３，１３を同心円状に立設し、前記リブ１３，１３の間に環状の溝を構成している。本例において、前記環状リブ１３は厚み約２．５ｍｍ、高さ約５ｍｍに形成され、二つのリブの間隔は約１０ｍｍである。なお、前記原料注入ノズル嵌合溝部１２は、前記インサート１０の表面に直接溝を環状に設けてもよい。
【００１１】
次に、前記インサート１０を用いた発泡成形品の製造方法について説明する。図３に示されるように、上型２１と下型２２とからなる成形型２０は、前記上下の型２１，２２を型閉めすることにより所定の成形品キャビティ２３を構成する。そして、上型２１の型面には、前記インサート１０が前記原料注入ノズル嵌合溝部１２をその型面側にして取り付けられる。このインサート１０が取り付けられる上型２１には、発泡装置の原料注入ノズル４０をセットするための注入部２５が設けられている。また、本実施例では、下型の型面には表皮２４が配置される。なお、この成形型２０はさらに複数に分割されるものであってもよい。
【００１２】
また、本実施例では前記インサート１０を前記型面に保持するための、インサート保持装置３０が設けられている。
このインサート保持装置３０は、インサート１０の表面に密着するパッド３１を有する真空吸引装置よりなる。前記インサート保持装置３０は、前記インサート１０をこのパッド３１の表面に接触させ、真空吸引装置を作動させることにより前記パッド３１にインサート１０を吸着保持する。なお、このインサートの保持機構としては、前記したクリップ部材でもよく、またこのインサート保持装置３０とクリップ部材とを併用することもできる。
【００１３】
このようなインサート保持装置３０によりインサート１０を型面にセットし、また下型２２の型面に表皮２４を配置した後、型閉めする。次いで、原料注入ノズル４０が前記注入部２５を介して型内に挿入される。前記したように、この原料注入ノズル４０の直径は、インサート１０の原料注入孔１１よりやや大きく形成されているので、ノズル４０の先端がインサート１０の表面に当接する。符号４５はピストンである。
【００１４】
前記原料注入ノズル４０の先端には、その原料吐出孔４１を包囲する環状突部４２が設けられている。本実施例の環状突部４２は、前記原料吐出孔４１の外側に段部４３を介して設けられるとともに、前記インサート１０の嵌合溝部１２の位置に対応させて設けられている。なお、図４のように、前記環状突部４２の厚みを前記インサート１０の原料注入ノズル嵌合溝部１２の溝幅と略一致させ、かつ前記段部４３の位置を当該原料注入ノズル嵌合溝部１２の上端と略一致させておくことが好ましい。そうすれば、図４から理解されるように、前記環状突部４２がインサート１０の原料注入ノズル嵌合溝部１２と嵌合した際、前記環状突部４２の少なくともその先端４４がインサート１０の原料注入ノズル嵌合溝部１２の内底面１４と接し、かつ前記段部４３が内側の環状リブ１３の先端面１５と当接して密着するので、インサートと型面との間のシール効果が一層高くなる。
【００１５】
そして、前記原料注入ノズル４０からインサート１０と表皮２４との間に液状発泡原料Ｐを注入する。その注入時、インサート１０の原料注入孔１１周囲では、前記原料注入ノズル嵌合溝部１２に原料注入ノズル４０の環状突部４２が嵌合しているので、前記原料注入孔１１周囲と原料注入ノズル４０との密着面積が大となり、その密着シールが確実になされる。注入された発泡原料Ｐは、前記インサート１０と表皮２４との間を充満して当該インサート１０の片側に発泡体（図示せず）を形成する。
【００１６】
【発明の効果】
以上図示し説明したように、この発明の発泡成形品の製造方法によれば、インサートの原料注入孔周囲に原料注入ノズル嵌合溝部を形成し、一方、原料注入ノズルの先端には環状突部を形成し、前記前記原料注入ノズル嵌合溝部と環状突部とを嵌合して液状発泡原料の注入を行うものであるから、インサートの原料注入孔周囲と原料注入ノズルとの密着面積が大となり確実に密着する。
そのため、注入される液状発泡原料が、インサートの原料注入孔からインサートと型面との間に漏れて不要なバリを生じることがない。また、前記原料注入ノズルから液状発泡原料が吐出される際に、インサートの原料注入孔周囲の空気を巻き込んだり、型内の発泡ガスがインサートの原料注入孔から抜けることもないので、製品にボイドやセル荒れまたはヒケなどを発生させるおそれもない。しかも、インサートにシール材を貼着する作業が不要となり、製造作業を簡略化することができる。
【図面の簡単な説明】
【図１】この発明に用いられる発泡成形用インサートの一例を示す要部の斜視図である。
【図２】その断面図である。
【図３】この発明の発泡成形品の製造方法を示す成形型の断面図である。
【図４】その要部の断面図である。
【図５】一般的な発泡成形品の製造方法を示す成形型の断面図である。
【図６】その他の方法を示す成形型の要部の断面図である。
【符号の説明】
１０  発泡成形用インサート
１１  原料注入孔
１２  原料注入ノズル嵌合溝部
２０  発泡成形型
４０  原料注入ノズル
４１  原料吐出孔
４２  環状突部
【図１】
0003578823.tif 000002
【図２】
0003578823.tif 000003
【図３】
0003578823.tif 000004
【図４】
0003578823.tif 000005
【図５】
0003578823.tif 000006
【図６】
0003578823.tif 000007